(57)【要約】      （修正有）【課題】イメージ・センサを色分解プリズムに正確に位置決めして固定するシステムおよび方法を提供する。【解決手段】イメージ・センサ１１０とビームスプリッタ１０４との間に、紫外線（ＵＶ）接着剤を含む第１の固定剤２０２を配置し、イメージ・センサ１１０をビームスプリッタ１０４に対して位置決めする。イメージ・センサ１１０の位置は、第１の固定剤２０２によって、ビームスプリッタ１０４に対して初めに固定される。第２の固定剤２０４ａ、ｂを用いて、ビームスプリッタ１０４にイメージ・センサ１１０を固定する。【選択図】図３
2014222910.tif 000002
【特許請求の範囲】
【請求項１】
イメージ・センサ（１０６，１０８，１１０）をビームスプリッタ（１０４）に固定する方法（４００）であって、
前記イメージ・センサ（１０６，１０８，１１０）と前記ビームスプリッタ（１０４）との間に、紫外線（ＵＶ）接着剤を含む第１の固定剤（２０２）を配置するステップ（４０４）と、
前記イメージ・センサ（１０６，１０８，１１０）を前記ビームスプリッタ（１０４）に対して位置決めするステップ（４０６）と、
前記第１の固定剤を硬化させることによって、前記イメージ・センサ（１０６，１０８，１１０）を前記ビームスプリッタ（１０４）に対して初期的に固定するステップ（４０６）と、
前記第１の固定剤とは異なる特性を有する第２の固定剤（２０４）を用いて、前記イメージ・センサ（１０６，１０８，１１０）を前記ビームスプリッタ（１０４）に固定するステップ（４０８）と、を含むことを特徴とする前記方法（４００）。
【請求項２】
前記第２の固定剤（２０４）がはんだを含む、請求項１に記載のイメージ・センサ（１０６，１０８，１１０）をビームスプリッタ（１０４）に固定する方法（４００）。
【請求項３】
前記第２の固定剤（２０４）がＵＶ接着剤を含む、請求項１または２に記載のイメージ・センサ（１０６，１０８，１１０）をビームスプリッタ（１０４）に固定する方法（４００）。
【請求項４】
前記第２の固定剤（２０４）が２液型エポキシを含む、請求項１から３のいずれか１項に記載のイメージ・センサ（１０６，１０８，１１０）をビームスプリッタ（１０４）に固定する方法（４００）。
【請求項５】
前記第１の固定剤（２０２）または前記第２の固定剤（２０４）の少なくとも一方が、楔形形状に塗布されるか、あるいは、楔形の部材と一緒に塗布される、請求項１から４のいずれか１項に記載のイメージ・センサ（１０６，１０８，１１０）をビームスプリッタ（１０４）に固定する方法（４００）。
【請求項６】
ビームスプリッタ（１０４）に対して位置合わせされたイメージ・センサ（１０６，１０８，１１０）を有する撮像システム（３００）であって、
色分離プリズム（１０４）に対して位置決めされた前記イメージ・センサ（１０６，１０８，１１０）と前記ビームスプリッタ（１０４）との間に配置された、紫外線（ＵＶ）接着剤を含む第１の固定剤と、
前記イメージ・センサ（１０６，１０８，１１０）を前記ビームスプリッタ（１０４）に固定するために配置された、前記第１の固定剤とは異なる特性を有する第２の固定剤と、
を有する前記撮像システム（３００）。
【請求項７】
前記第２の固定剤（２０４）がはんだを含む、請求項６に記載の撮像システム（３００）。
【請求項８】
前記第２の固定剤（２０４）がＵＶ接着剤を含む、請求項６または７に記載の撮像システム（３００）。
【請求項９】
前記第２の固定剤（２０４）が２液型エポキシを含む、請求項６から８のいずれか１項に記載の撮像システム（３００）。
【請求項１０】
前記第１の固定剤（２０２）または前記第２の固定剤（２０４）の少なくとも一方が、楔形形状に塗布されるか、あるいは、楔形の部材と一緒に塗布される、請求項６から９のいずれか１項に記載の撮像システム（３００）。
【発明の詳細な説明】
【技術分野】
【０００１】
本発明は、ディジタル・ビデオ・カメラなどのビデオ撮像システムで使用される構成部品の組み立てに関する。詳細には、本発明の例示的な実施例は、イメージ・センサを、色分離プリズムなどのビームスプリッタに隣接させて正確に位置決めすることに関する。
【背景技術】
【０００２】
高品質ディジタル・カメラは一般に、赤色成分、青色成分、および少なくとも１つの緑色成分に関するデータを処理するために別個のイメージ・センサを使用できるように、複数のイメージ・センサを用いている。そのようなシステムでは、レンズを通して受けた光をそれぞれ赤、青、および緑色成分に分離するために、色分離プリズムなどのビームスプリッタが一般に用いられる。各色成分はそれぞれ、その色成分に関連付けられたイメージ・センサに送られる。可能な限り最良の画像品質を得るためには、個々のイメージ・センサに対するビームスプリッタの正確な位置決めが必要とされる。さらに言えば、イメージ・センサをビームスプリッタに対してサブミクロンレベルで正確に位置決めすることが望ましい。
【０００３】
イメージ・センサの位置決め精度に影響を与えることがある環境的要因、製造要素、および機能的因子の例には、温度、湿度、外力、接着剤内の内部応力、固定方法などがある。撮像装置を関連光学部品に対して位置決めする際に関係することがある付加的要因には、材料費を低減したいという要望、イメージ・センサのリサイクル機能を高めたいという要望、歩留まりを向上させるためにガラス表面の良好な洗浄状態が望ましいこと、固定中の部品の位置ずれなどがある。
【０００４】
公知の光電変換装置は、複数の光放出面を有するプリズム組立体を含む光学システムからの光に応答して、電気信号を発生させる。プリズム組立体は、光学システムからの光を複数の光成分に分離し、プリズム組立体の光放出面に隣接する複数の固体センサを含んでいる。光放出面およびイメージ・センサは、スペーサの第１の面を接着剤またははんだを用いて各光放出面およびイメージ・センサ上に固定するための、接着領域または金属被覆領域を備えている。各スペーサは、はんだ付けまたは接着によって１つの固体センサをプリズムに強固に結合するのに適した、第２の金属被覆面を有する。
【０００５】
Ｙａｍａｍｏｔｏの米国特許第５０４２９１３号明細書（特許文献１）は、固体イメージ・センサを画像分離プリズムに強固に取り付ける装置を開示しており、その装置では、取付けガラス・ブロックが、画像分離プリズムの表面、またはプリズムに接合されたガラス・プレートに接合されている。金属膜がガラス・ブロック上に形成され、予備はんだ層が湿潤性を高めるために金属膜上に形成されている。予備はんだ層と、固体イメージ・センサのケージング上に形成された溶融可能金属部材との間のギャップは、所定の厚さを有する溶融可能金属で充填され、そのようにして、予備はんだ層と溶融可能金属部材とが接合される。この構成が得られる場合、金属膜の全体の厚さは１μｍ以下に低減することができる。
【０００６】
Ｏｚｉｍｅｋ等の米国特許第５３４０４２０号明細書（特許文献２）は、色分離フィルタをイメージ・センサに接合する方法を開示している。この方法は、フィルタおよびセンサの少なくとも一方の事前に選択された表面上に光結合組成物を供給するステップと、フィルタ・センサ組立体を作成するために、フィルタ・センサ組立体の境界面に所定量の紫外線（ＵＶ）硬化接着剤を使用することによって、フィルタをセンサに接合するステップと、フィルタ・センサ組立体の周囲に沿ってエポキシを供給し、それによってフィルタ・センサ組立体の境界面に光結合組成物をカプセル化するステップと、を含む。
【０００７】
Ｍｏｒｉａｒｔｙ等の米国特許第６２５６１１８号明細書（特許文献３）はフィルム・スキャナを開示しており、そのフィルム・スキャナでは、ＣＣＤイメージ・センサが、フィルム面スキャン開口に位置合わせされ、介在する撮像ハウジング組立体に、適度な粘性の紫外線（ＵＶ）硬化接着剤を用いて取り付けられている。センサはハウジング組立体のセンサ・ハウジング・セグメント内にそれとは間隔を空けて配置されており、接着剤がハウジング・セグメントの壁の取付け孔を通して注入されてイメージ・センサに付着している。注入された接着剤のうちの余分な量によって、取付け孔を覆うキャップが形成される。接着剤の粘性は、センサとセンサ・ハウジング・セグメントの壁との間の空間内で、接着剤がその形状をほぼ維持することができるように選択される。センサをセンサ・ハウジング・セグメントから間隔を空けて位置付けることで、位置合わせ作業の最中にセンサを自由に６°動かすことが可能になり、位置合わせ作業後、注入された接着剤は、その状態のまま硬化して、センサをフィルム面開口に正確に位置合わせした状態で、センサ取付け固定部材となる。取付け孔を覆って硬化したキャップは、ハウジング・セグメントに対する固定部材の頑丈な機械的接合を生じさせる。
【０００８】
Ｃｈｅｎの米国特許出願公開第２００５０１９５５０３号明細書（特許文献４）は、携帯型電子機器用のディジタル・カメラ・モジュールを開示している。そのディジタル・カメラ・モジュールは、第１のレンズおよび第２のレンズを含むバレルと、バレルの一部を含むホルダと、第１および第２のレンズの下側のイメージ・センサと、を含んでいる。第１および第２のレンズは、紫外線（ＵＶ）接着剤によって、バレル内に接着されている。ＵＶ接着剤は、７５℃と１００℃との間で２０分から３０分で硬化し、わずかしか揮発しない。イメージ・センサは、ＣＬＣＣ（Ｃｅｒａｍｉｃ＿Ｌｅａｄｅｄ＿Ｃｈｉｐ＿Ｃａｒｒｉｅｒ）を用いてパッケージされる。ディジタル・カメラ・モジュールの構造は、ディジタル・カメラ・モジュールの第１および第２のレンズを、水分、湿気、および酸化から効果的に保護するようになっている。
【０００９】
Ｌａｍの米国特許出願公開第２００２０００６６８７号明細書（特許文献５）は、電子カメラの撮像モジュール内に一般に含まれている全ての構成要素を組み込んだ画像感知性の集積回路半導体ダイ用のＩＣチップ・パッケージを開示している。ＩＣチップ・パッケージは、イメージ・センサ・ダイを保持するプラスチック製の基板ベースと、イメージ・センサ・ダイをカプセル化し、フィルタ・ガラス、光学レンズを保持し、かつ光学レンズ用の開口を形成する独立したプラスチック製の上部カバーと、から成る。上部カバーは、イメージ・センサ・ダイの上方に開口している開口部に位置合わせされた光学レンズを保持する下側シェルフを有し、また、光学レンズを覆うフィルタ・ガラスを保持する上側シェルフを有する。レンズは、ＵＶ硬化接着剤を用いて下側シェルフに取り付けられ、イメージ・センサ・ダイまでのその焦点距離は、最初にイメージ・センサ・ダイを電気的に起動し、レンズ位置を調節して最適な焦点の鮮明度を特定し、次いで、ＵＶ光を照射してＵＶ硬化接着剤の硬化を促進させ、レンズを焦点が合った状態に保持することによって定められる。
【特許文献１】米国特許第５０４２９１３号明細書
【特許文献２】米国特許第５３４０４２０号明細書
【特許文献３】米国特許第６２５６１１８号明細書
【特許文献４】米国特許出願公開第２００５０１９５５０３号明細書
【特許文献５】米国特許出願公開第２００２０００６６８７号明細書
【発明の概要】
【課題を解決するための手段】
【００１０】
好ましくは、本発明の例示的な実施例は、１つまたは複数のイメージ・センサを色分離プリズムに隣接させ、正確に位置決めして固定するシステムおよび方法を提供する。そのような正確な位置決めおよび固定によって、本発明の例示的な一実施例を用いるディジタル・ビデオ・システムにおける画像品質がより改善される。
【００１１】
本発明の例示的な一実施例による、イメージ・センサをビームスプリッタに固定する方法が請求項１に記載されている。その例示的な方法は、イメージ・センサとビームスプリッタとの間に、ＵＶ接着剤を含む第１の固定剤を配置するステップと、イメージ・センサをビームスプリッタに対して位置決めするステップと、を含んでいる。イメージ・センサの位置は、第１の固定剤によって、ビームスプリッタに対して初期的に固定される。この例示的な方法は、第２の固定剤を用いて、イメージ・センサをビームスプリッタに固定するステップをさらに含んでいる。
【００１２】
本発明の例示的な一実施例では、第２の固定剤ははんだを含む。本発明の他の例示的な実施例では、第２の固定剤はＵＶ接着剤を含む。本発明のさらに他の例示的な実施例では、第２の固定剤は２液型エポキシを含む。本発明のさらに他の例示的な実施例では、第１の固定剤および第２の固定剤の少なくとも一方は楔形形状に塗布される。
【００１３】
本発明の例示的な一実施例による、ビームスプリッタに対して位置合わせされたイメージ・センサを有する撮像システムが請求項６に記載されている。例示的な撮像システムは、イメージ・センサの位置をビームスプリッタに対して初期的に固定するために、イメージ・センサとビームスプリッタとの間に配置された、紫外線（ＵＶ）接着剤を含む第１の固定剤を有する。撮像システムは、イメージ・センサをビームスプリッタに固定するために配置された第２の固定剤をさらに有する。
【発明を実施するための形態】
【００１４】
図１は、本発明の例示的な一実施例による、例示的なディジタル・ビデオ・カメラ・システム１００を示している。図１に示された機能ブロックが、（回路を含む）ハードウェア要素、（機械可読媒体上に記憶されたコンピュータ・コードを含む）ソフトウェア要素、またはハードウェア要素およびソフトウェア要素両方の組み合わせを含むことができることは、当業者であれば理解するであろう。
【００１５】
カメラ・システム１００はレンズ１０２を有している。（カラー・スプリッタと呼ばれることもある）ビームスプリッタは、レンズ１０２よってビームスプリッタに向けられた光を受光し、その光を３つの成分、すなわち、赤成分、緑成分および青成分に分離する、色分離プリズム１０４を有している。赤色成分は赤色イメージ・センサ１０６へ向けられる。緑色成分は緑色イメージ・センサ１０８へ向けられる。青色成分は青色イメージ・センサ１１０へ向けられる。赤色イメージ・センサ１０６、緑色イメージ・センサ１０８および青色イメージ・センサ１１０に対する色分離プリズム１０４の位置決めは、以下に詳細に説明する。
【００１６】
赤色イメージ・センサ１０６、緑色イメージ・センサ１０８および青色イメージ・センサ１１０の出力は、ビデオ・プロセッサ１１２に送られる。ビデオ・プロセッサ１１２は、システム・プロセッサ１１４に制御されて、それらのイメージ・センサによってキャプチャされた一連の画像に対応するビデオ出力信号を生成する。
【００１７】
システム・プロセッサ１１４がカメラ・システム１００の動作全体を制御することは、当業者であれば理解するであろう。メモリ１１６が、システム・プロセッサ１１４に動作可能に結合されている。図１では簡略化の目的でメモリ１１６が単一のブロックとして図示されていることは、当業者であれば理解するであろう。実際には、メモリ１１６は、各々が異なる機能を実行する、揮発性メモリ部分と不揮発性メモリ部分とを含んでいてもよい。例えば、メモリ１１６の揮発性メモリ部分は、システム・プロセッサ１１４にカメラ・システム１００の動作全体を制御させるコンピュータ可読命令を記憶することができる。さらに、メモリ１１６の不揮発性メモリ部分は、カメラ・システム１００によって記録されたビデオ画像を、後の表示のために記憶することができる。
【００１８】
本発明の例示的な一実施例は、赤色イメージ・センサ１０６、緑色イメージ・センサ１０８および青色イメージ・センサ１１０を色分離プリズム１０４に対して位置決めするシステムおよび方法に関する。はんだ接合は湿度および外力に耐えることが可能であるので、イメージ・センサの支持部の耐用期間の間、安定性を一層向上させることができる。また、はんだ接合は、接着剤のように、内部応力の緩和が原因で変位することがない。１段階固定プロセスにおいてはんだ接合を用いる上での不利な面は、実施することが困難であることである。はんだ錫を配置するときに、色分離プリズム１０４に対するイメージ・センサ１０６，１０８，１１０の位置が動いた場合、修正措置は不可能である可能性が高い。
【００１９】
本発明の例示的な一実施例は、２段階位置決めプロセスを用いる。その２段階位置決めプロセスでは、ＵＶ硬化接着剤を含む第１の固定剤がイメージ・センサ１０６，１０８，１１０と色分離プリズム１０４との間に最初に塗布されて固定される。その後、イメージ・センサは、はんだまたは他の接着剤などの第２の固定剤によって、色分離プリズム１０４上に固定される。本発明の例示的な一実施例では、２層のＵＶ接着剤を有する固定体が、少なくとも１つのイメージ・センサ１０６，１０８，１１０と色分離プリズム１０４との間に配置される。
【００２０】
ＵＶ接着剤は硬化する際にはんだ接合ほど力を生じさせないので、ＵＶ接着剤が例示的な方法における初期固定材料として望ましい。また、ＵＶ接着剤を使用すると、フラックスからのガス発生、ならびにイメージ・センサ１０６，１０８，１１０および色分離プリズム１０４への熱伝導が生じないので、ＵＶ接着剤は位置合わせ装置上でより容易に管理可能である。さらに、これによってイメージ・センサ１０６，１０８，１１０および色分離プリズム１０４の汚れがより少なくなるため、初期固定精度および歩留まりをより高めることができる。ＵＶ接着剤がはんだまたはエポキシ接着剤よりも環境条件の影響を受けやすいことは、当業者であれば理解するであろう。従って、本発明の例示的な一実施例は、機械上での初期的なＵＶ硬化固定の後、管理された環境において付加的なはんだ付け可能な楔（スペーサ）を利用する。
【００２１】
初期ＵＶ接着固定剤の塗布後、位置ずれが補正され、位置が数秒以内に固定される。イメージ・センサを色分離プリズムに対して位置決めするために任意の適切な手段を使用できることは、当業者であれば理解するであろう。接着剤ギャップは最小に保たれ、収縮率が可能な限り小さい接着剤が使用される。そのようなプロセスが用いられる場合、色分離プリズム１０４に対するイメージ・センサ１０６，１０８，１１０の位置を約０．５μｍ以下に抑えることができる。
【００２２】
図２は、本発明の例示的な一実施例による、位置合わせ装置による色分離プリズムに対する複数のイメージ・センサの位置決めを示す図である。この図は、参照番号２００によって全体的に参照されている。図２は、色分離プリズム１０４に対する赤色イメージ・センサ１０６、緑色イメージ・センサ１０８および青色イメージ・センサ１１０の位置決めを示している。本発明の例示的な一実施例による第１の固定剤としてＵＶ接着剤２０２の楔を塗布するために、ガラス楔が用いられる。ＵＶ接着剤の塗布後、イメージ・センサの最終的な位置決めが行われる。
【００２３】
イメージ・センサ１０６，１０８，１１０に対する色分離プリズム１０４の位置をＵＶ手法を使用して固定した後、事前に錫めっきがなされた１つまたは複数のはんだ塊２０４を最終的な固定を行うために追加することができる。本発明の例示的な一実施例では、ＵＶ接着剤の塊２０２およびはんだ塊２０４は楔形である。楔形の塊は、接着剤およびはんだ錫の容量及び厚さまたはそれらの一方を増大させることなく、ギャップを充填することが可能である。
【００２４】
撮像装置を固定する、ある公知の１段階方法では、はんだの厚さを管理することが難しい。この方法では、焦点を合わせるためにセンサをより移動させる必要がする場合に、より大きな収縮が生じる。すると、この収縮によって、固定中により多くの流動が生じる。本発明の例示的な一実施例では、この問題は、固定材料を楔形とすることによって解決される。楔形によってはんだおよび接着剤の厚さが一定になり、その結果、精度がより高くなり、かつプロセスをより管理しやすくなる。
【００２５】
楔の長さが初期固定の精度において重要な要因であることは、当業者であれば理解するであろう。楔を短くすることによって、接着剤の収縮によって生じる力が減少し、接着剤のギャップがより小さくなるので、より優れた位置決め精度が得られるが、楔を短くすることは、固定の最終的な安定性も低下させることがある。従って、安定性を高めるために、第１の固定の後に付加的な楔を追加することが望ましい。
【００２６】
本発明の例示的な一実施例では、はんだではなく、初期固定用に使用されたのと同じＵＶ接着剤を使用して、第２の固定プロセスを行うこともできる。本発明の例示的な他の実施例では、所望のシステム設計基準に基づいた特定の性能を高めるために、初期ＵＶ接着固定剤とは異なる特性を有する別の接着剤を、第２の固定プロセスに使用することができる。例えば、高い耐湿性を有するスロー硬化性の２液型エポキシを使用してもよい。そのようなエポキシは、硬化するのに比較的長い時間を必要とするので、１段階位置合わせ法には実用的ではない。
【００２７】
図３は、本発明の例示的な一実施例による撮像システムを示すブロック図である。撮像システムは参照番号３００によって全体的に参照されている。撮像システム３００は、色分離プリズム１０４に対するイメージ・センサ１１０の固定を示している。撮像システム３００では、色分離プリズム１０４に対するイメージ・センサ１１０の位置を初期的に定めるために、第１の固定剤ディスペンサによってＵＶ接着剤の楔２０２が形成される。イメージ・センサ１１０が正確に位置決めされて固定された後、イメージ・センサ１１０を所定の位置に固定するために、第２の固定剤ディスペンサによって第２の固定材料からなる複数の楔形の対２０４ａ，２０４ｂが塗布される。
【００２８】
図４は、本発明の例示的な一実施例による、色分離プリズムに対してイメージ・センサを位置決めするプロセスを示すプロセス・フロー図である。このプロセスは参照番号４００によって全体的に参照されている。ブロック４０２において、プロセスが開始する。
【００２９】
ブロック４０４において、第１の固定剤が、イメージ・センサ１０６，１０８，１１０（図１）などのイメージ・センサと、色分離プリズム１０４（図１）などの色分離プリズムとの間に配置される。本発明の例示的な一実施例では、第１の固定剤はＵＶ接着剤を含んでいる。さらに、第１の固定剤は望ましくは楔形形状に塗布される。ブロック４０６において、イメージ・センサが、色分離プリズムに対して位置決めされて固定される。この位置決めは、第１の固定剤が硬化している最中に行ってもよい。その後、ブロック４０８に示されるように、イメージ・センサは、第２の固定剤を使用して所定の位置に固定される。ブロック４１０において、プロセスが終了する。
【００３０】
本発明の上述の特徴のどれを一緒に組み合わせても望ましいことは、当業者であれば理解するであろう。
【図面の簡単な説明】
【００３１】
【図１】本発明の例示的な一実施例によるディジタル・ビデオ・カメラ・システムのブロック図である。
【図２】本発明の例示的な一実施例による、位置合わせ装置によるビームスプリッタに対する複数のイメージ・センサの位置決めを示す図である。
【図３】本発明の例示的な一実施例による撮像システムを示すブロック図である。
【図４】本発明の例示的な一実施例による、イメージ・センサをビームスプリッタに対して位置決めするプロセスを示すプロセス・フロー図である。
【符号の説明】
【００３２】
１００  ディジタル・ビデオ・カメラ・システム
１０２  レンズ
１０４  色分離プリズム
１０６  赤色イメージ・センサ
１０８  緑色イメージ・センサ
１１０  青色イメージ・センサ
１１２  ビデオ・プロセッサ
１１４  システム・プロセッサ
１１６  メモリ
２０２  ＵＶ接着剤の楔
２０４  はんだ塊
２０４ａ，２０４ｂ  楔形の対
３００  撮像システム
【図１】
2014222910.tif 000003
【図２】
2014222910.tif 000004
【図３】
2014222910.tif 000005
【図４】
2014222910.tif 000006
【手続補正書】
【提出日】平成26年7月10日(2014.7.10)
【手続補正１】
【補正対象書類名】特許請求の範囲
【補正対象項目名】全文
【補正方法】変更
【補正の内容】
【特許請求の範囲】
【請求項１】
イメージ・センサ（１０６，１０８，１１０）をビームスプリッタ（１０４）に固定する方法（４００）であって、
前記イメージ・センサ（１０６，１０８，１１０）と前記ビームスプリッタ（１０４）との間に、紫外線（ＵＶ）接着剤を含む第１の固定剤（２０２）を配置するステップ（４０４）と、
前記イメージ・センサ（１０６，１０８，１１０）を前記ビームスプリッタ（１０４）に対して位置決めするステップ（４０６）と、
前記第１の固定剤を硬化させることによって、前記イメージ・センサ（１０６，１０８，１１０）を前記ビームスプリッタ（１０４）に対して初期に固定するステップ（４０６）と、を含み、
前記方法（４００）は、さらに、
前記第１の固定剤とは異なる特性を有する第２の固定剤（２０４）を用いて、前記イメージ・センサ（１０６，１０８，１１０）を前記ビームスプリッタ（１０４）に固定するステップ（４０８）を含み、
前記第１の固定剤（２０２）または前記第２の固定剤（２０４）の少なくとも１つが、楔形形状として適用されるか、あるいは、楔形部材とともに適用される、ことを特徴とする方法（４００）。
【請求項２】
請求項１に記載のイメージ・センサ（１０６，１０８，１１０）をビームスプリッタ（１０４）に固定する方法（４００）であって、
前記第２の固定剤（２０４）がはんだを含む方法（４００）。
【請求項３】
請求項１に記載のイメージ・センサ（１０６，１０８，１１０）をビームスプリッタ（１０４）に固定する方法（４００）であって、
前記第２の固定剤（２０４）がＵＶ接着剤を含む方法（４００）。
【請求項４】
請求項１に記載のイメージ・センサ（１０６，１０８，１１０）をビームスプリッタ（１０４）に固定する方法（４００）であって、
前記第２の固定剤（２０４）が２液型エポキシを含む方法（４００）。
【請求項５】
ビームスプリッタ（１０４）に対して位置合わせされたイメージ・センサ（１０６，１０８，１１０）を有する撮像システムであって、前記システム（３００）は、
前記ビームスプリッタ（１０４）に対して位置決めされた前記イメージ・センサ（１０６，１０８，１１０）と前記ビームスプリッタ（１０４）との間に配置された、紫外線（ＵＶ）接着剤を含む第１の固定剤と、
前記イメージ・センサ（１０６，１０８，１１０）を前記ビームスプリッタ（１０４）に固定するために配置された、前記第１の固定剤とは異なる特性を有する、第２の固定剤と、を有し、
前記第１の固定剤（２０２）または前記第２の固定剤（２０４）の少なくとも１つが、楔形形状として適用されるか、あるいは、楔形部材とともに適用される、ことを特徴とする撮像システム（３００）。
【請求項６】
請求項５に記載の撮像システム（３００）であって、
前記第２の固定剤（２０４）がはんだを含む撮像システム（３００）。
【請求項７】
請求項５に記載の撮像システム（３００）であって、
前記第２の固定剤（２０４）がＵＶ接着剤を含む撮像システム（３００）。
【請求項８】
請求項５に記載の撮像システム（３００）であって、
前記第２の固定剤（２０４）が２液型エポキシを含む撮像システム（３００）。
【外国語明細書】
2014222910000001.pdf
2014222910000002.pdf
2014222910000003.pdf
2014222910000004.pdf